(57)【特許請求の範囲】
【請求項１】
少なくとも振動方向から見た平面形状が長径と短径とを有する非軸対称形の振動板と、前記振動板に接着された長径と短径を有する中空状のボイスコイルボビンと、前記ボイスコイルボビンの外周面に回巻されたボイスコイルと、前記ボイスコイルに振動用の磁束を与える磁気回路と、前記ボイスコイルボビンのボイスコイル回巻部分に下端から延長されて設けられたスリットとで構成されるスピーカ。
【請求項２】
前記磁気回路を収納する箱形のフレームと、このフレームに外周部が接続され、内周部が前記ボイスコイルボビンの外周部に接続されて前記ボイスコイルボビンを保持するダンパーとを設けた請求項１に記載のスピーカ。
【発明の詳細な説明】
【０００１】
【発明の属する技術分野】
本発明は、音響機器に使用される細長構造のスピーカに関するものである。
【０００２】
【従来の技術】
従来の技術について、図７（ａ）〜（ｃ）により説明する。図７は従来の細長構造のスピーカの構成図であり、図７（ａ）は平面図、図７（ｂ）は長径方向の断面図、図７（ｃ）は短径方向の断面図である。同図において１は空気振動を発生する細長形状の振動板であり、その外周部にはエッジ３が接合され、このエッジ３を介してフレーム１０に保持されている。振動板１の中央部にはボイスコイルボビン６が固着され、ダンパー４を介してフレーム１０に振動自在に保持されている。
【０００３】
一方、前記フレーム１０の中央凹部には、ヨーク７、磁石８、プレート９からなる磁気回路１１が設けられている。そして磁気回路１１の空隙部にボイスコイルボビン６に回巻されたボイスコイル１２が保持され、駆動電流によりボイスコイルボビン６がピストン運動し、振動板１がその方向に振動し、その結果振動板１から音波が放射される。
【０００４】
【発明が解決しようとする課題】
しかしながら、上記のような従来のスピーカには次のような問題点があった。即ち、細長の振動板１の中央部を駆動する（点駆動）という駆動方法を採っているため、長軸方向の分割共振が発生しやすい。その結果、中高域では再生音圧の周波数特性上にピークやディップを生じ音質の劣化を招いていた。また、磁気回路１１とボイスコイルボビン６を含む駆動系の幅は、スピーカの短径の長さより小さくなり、ボイスコイルボビン６の口径を大きくとることは物理的に不可能で、ボイスコイル１２の線長も長くすることはできない。
【０００５】
また、磁石８の体積も小さく限定されるために空隙の磁束密度Ｂを充分に確保することができない。その結果、駆動系の力係数（Ｂ×Ｌ）は小さくなり、変換効率を高くすることが困難であった。
【０００６】
本発明は、このような従来の問題点に鑑みてなされたものであって、細幅（細長構造）でありながら分割共振が起こりにくくかつ平坦な周波数特性が得られ、変換効率が高まり、共振周波数（ｆ0）を低く抑えて低音域の再生を可能とした音質の優れたスピーカを得ることを目的としたものである。
【０００７】
【課題を解決するための手段】
本発明のスピーカは、振動方向から見た平面形状が長径と短径とを有する非軸対称形で、かつ長径の方向には少なくとも一部が互いに平行な直線部分を成すボイスコイルボビンと、このコイルボビンに回巻されたボイスコイルと、このボイスコイルに磁束を与える磁気回路と、前記ボイスコイルを回巻した前記ボイスコイルボビンの直線部分にスリットを設けたものである。
【０００８】
この構成により分割共振の防止、周波数特性の平坦化、低音特性の向上を図り、更に、ボイスコイルとボイスコイルボビンの熱膨張係数が異なることにより発生するボイスコイルボビンの形状変化を抑えることができるものである。
【０００９】
【発明の実施の形態】
本発明の請求項１に記載のスピーカの発明は、少なくとも振動方向から見た平面形状が長径と短径とを有する非軸対称形の振動板と、前記振動板に接着されたボイスコイルボビンと、前記ボイスコイルボビンの外周面に回巻されたボイスコイルと、前記ボイスコイルに振動用の磁束を与える磁気回路と、前記ボイスコイルボビンのボイスコイル回巻部分に設けられたスリットとで構成されるものであり、この構成により分割共振の防止、周波数特性の平坦化、低音特性の向上を図り、更に、ボイスコイルとボイスコイルボビンの熱膨張係数が異なることにより発生するボイスコイルボビンの形状変化を抑えることができるものである。
【００１０】
請求項２に記載の発明は、請求項１に記載のスピーカの構成に磁気回路を収納する箱形のフレームと、このフレームに外周部が接続され、内周部が前記ボイスコイルボビンの外周部に接続されて前記ボイスコイルボビンを保持するダンパーを設けたものであり、請求項１の作用効果に加え、ボイスコイルの剛性を高め、ローリングの発生を防止することができ、さらに、ダンパーがボイスコイルボビンの全周に密着されフレームに固着されて、ダンパーを柔らかくすることができ、また、コルゲーションを深くとれるためにリニアリティが向上することができる作用効果を有するものである。
【００１１】
以下、本発明の実施の形態について図１〜図６により説明する。
【００１２】
（実施の形態１）
図１は分解斜視図であり、図２は本発明の要部であるボイスコイルの構造を示すもので、（ａ）は下側から見た平面図、（ｂ）は長径方向の側面図である。同図において、１３は空気振動を発生する略トラック型の振動板で、長径方向と短径方向とを有する非軸対称形のもので、振動方向に向かって半円柱状の膨らみを持っている。そして、振動板１３の外周にはエッジ１５が接合され、このエッジ１５の外周部はフレーム２２に保持されている。また、振動板１３は連結部材１７を介してフレーム２２に接続されたダンパー１６にも保持されている。１４は振動板１３の背面に設けた振動板補強紙である。
【００１３】
また、振動板１３の外周と同一輪郭形状のボイスコイルボビン１８ａが振動板１３に固着されており、下端部にはボイスコイル１９が回巻されている。フレーム２２は箱状に形成され、その側面はエッジ１５に沿うように矩形に曲げられ、底面は長方形になっている。そして、フレーム２２の底面には、磁気回路を構成するためのヨーク２１、磁石２０が取り付けられている。１８ａはボイスコイルボビンで、スリット１８ｂが設けられており、ボイスコイル１９がボイスコイルボビン１８ａに接着されている。ボイスコイルボビン１８ａはクラフト紙、アルミ、樹脂等が用いられ、また、ボイスコイル１９には主に銅線が用いられる。
【００１４】
以上のように略トラック（細長）型の振動板１３を用い、ボイスコイル１９を巻回したボイスコイルボビン１８ａも細長型の同形状として、分割共振の防止、周波数特性の平坦化や低音特性の向上を図るとともに、更に、ボイスコイルボビン１８ａのボイスコイル１９の回巻部分にスリット１８ｂを設けたので、ボイスコイル１９の温度上昇によって発生するボイスコイルボビン１８ａとの熱膨張係数の差による変形を防止し、ボイスコイルとボイスコイルボビンの熱膨張係数が異なることにより発生するボイスコイルボビンの形状変化を抑えることができるものである。
【００１５】
（実施の形態２）
図３は本発明の実施の形態２に至る展開例の分解斜視図であり、図４は同要部であるボイスコイルボビンの構成を示すもので、（ａ）は下側から見た平面図、（ｂ）は長径方向の側面図であり、図５は同応用例の要部であるボイスコイルボビンの構成を示すものであり、（ａ）は下側から見た平面図、（ｂ）は長径方向の側面図である。
【００１６】
なお、説明にあたっては実施の形態１と同一部分には同一番号を付与し、説明を省略して説明すると、実施の形態１との差異はダンパー１６および連結部材１７に代えてボイスコイルボビン２４の外周全周と、フレーム２２間にダンパー２３を取り付けた点である。なお、ボイスコイルボビン２４には実施の形態１のボイスコイルボビン１８ａのようなスリット１８ｂは設けられていない。
【００１７】
以上のように、前述の展開例はボイスコイルボビン２４の周囲にダンパー２３を設けることにより、ボイスコイルボビン２４の剛性を高めることができ、さらに、ボイスコイルボビン２４の全周にダンパー２３が接着されフレーム２２に固着されているため、ダンパー２３の柔軟度をより柔らかくすることが可能であり、また、ダンパー２３のコルゲーションを深くとることができ、リニアリティが良くなる。また、ボイスコイルボビン２４の振動方向から見た平面形状が長径と短径を有する非軸対称形であるため、特に長径方向において中心からの距離が遠くなるがボイスコイルボビン２４の周囲にダンパー２３を有し、そのダンパー２３がフレーム２２に固定されるため、ローリングを防ぐことができるものである。
【００１８】
なお、図５（ａ）,（ｂ）はダンパー２５としてボイスコイルボビン２４の長径方向の両端に設けたものであり、このダンパー２５によっても、フレーム２２に固定されているため、ローリングを防ぐことができるものである。
【００１９】
以下、実施の形態２について説明するが、図６は本発明の他の実施の形態の分解斜視図であり、実施の形態１と前述の展開例の特長を併せ持つものである。
【００２０】
即ち、ボイスコイルボビン１８ａに実施の形態１と同様のスリット１８ｂを設けるとともに、展開例と同様のダンパー２３を設けたものである（実施の形態１のダンパー１６および連結部材１７は設けられていない）。
【００２１】
従って、この実施の形態２においては、実施の形態１と展開例の特長を併せ持っており、ボイスコイルボビン１８ａの外周に設けたダンパー２３により、ボイスコイルボビン１８ａの剛性を高めることができ、また、ボイスコイルボビン１８ａに設けたスリット１８ｂにより、温度が上昇してもボイスコイルボビン１８ａの変形を抑えることができる。さらに、ローリングの発生を抑えることができ、リニアリティを良くすることができるものである。
【００２２】
【発明の効果】
本発明は以上のように、ボイスコイルボビンにスリットを設けたものにあっては、分割共振の防止、周波数特性の平坦化、低音特性の向上が図れるとともに、ボイスコイルの温度上昇によるボイスコイルボビンの変形を防止し、ボイスコイルの振動を正しく振動板に伝え、音の歪みの低減を可能とするものである。
【図面の簡単な説明】
【図１】本発明の一実施の形態のスピーカの構造を示す分解斜視図
【図２】（ａ）同要部であるボイスコイルボビンの構造を示す平面図
（ｂ）同長径方向の側面図
【図３】同他の実施形態のスピーカの分解斜視図
【図４】（ａ）同要部であるボイスコイルボビンの平面図
（ｂ）同長径方向の側面図
【図５】（ａ）同図３の実施の形態の応用を示すボイスコイルボビンの平面図
（ｂ）同長径方向の側面図
【図６】同他の実施の形態の分解斜視図
【図７】（ａ）従来のスピーカの平面図
（ｂ）同長径方向の側断面図
（ｃ）同短径方向の側断面図
【符号の説明】
１３  振動板
１６  ダンパー
１８ａ  ボイスコイルボビン
１８ｂ  スリット
１９  ボイスコイル
２０  磁石
２１  ヨーク
２２  フレーム
２３  ダンパー
２４  ボイスコイルボビン
２５  ダンパー
【図１】
0003617154.tif 000002
【図２】
0003617154.tif 000003
【図３】
0003617154.tif 000004
【図４】
0003617154.tif 000005
【図５】
0003617154.tif 000006
【図６】
0003617154.tif 000007
【図７】
0003617154.tif 000008